【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
ユーザインターフェースにおいてアイテムのインジケーションを提供するステップと、
前記アイテムの動的属性に従って決定された、前記アイテムと相互作用するために使用可能なアプリケーションのインジケーションを提供するステップと
を有する方法。
【請求項２】
前記アプリケーションのインジケーションは、前記ユーザインターフェースとは異なるデバイスにおいて提供される、
請求項１に記載の方法。
【請求項３】
前記アプリケーションのインジケーションは、前記アイテムの前記動的属性を示す様式において提供される、
請求項１に記載の方法。
【請求項４】
前記様式は、前記アプリケーションの視覚表示の全て又は部分について、前記アイテムの視覚表示からの距離、ディスプレイのおける位置、陰影、輝度、フェーディング、又は色のうちの１又はそれ以上を調整することを含む、
請求項３に記載の方法。
【請求項５】
前記アプリケーションのインジケーションのために、少なくとも部分的に前記ユーザインターフェースを通じて、リクエストを受け取るステップを更に有し、
前記アプリケーションのインジケーションを提供するステップは、前記リクエストを受け取ることに応答して実行される、
請求項１乃至４のうちいずれか一項に記載の方法。
【請求項６】
前記アイテムと相互作用するために使用可能な前記アプリケーションを前記動的属性に基づき決定するステップを更に有する
請求項１乃至５のうちいずれか一項に記載の方法。
【請求項７】
前記アプリケーションのインジケーションは、前記アイテムのインジケーションと同時に提供される、
請求項１乃至６のうちいずれか一項に記載の方法。
【請求項８】
前記動的属性は、前記アプリケーションが前記アイテムにアクセスするための最新のアプリケーションであること、前記アプリケーションが前記アイテムにアクセスするための最も頻繁に使用されるアプリケーションであること、又は前記アプリケーションが前記アイテムにアクセスするための好ましいアプリケーションであることのうちの１又はそれ以上を含む、
請求項１乃至７のうちいずれか一項に記載の方法。
【請求項９】
前記アイテムの前記動的属性は、（ｉ）前記アイテムと交信するための好ましいアプリケーション、又は（ｉｉ）前記アイテムを開いた後に連続的にタスクを課されるアプリケーションのうちの１又はそれ以上を特定する、
請求項１乃至７のうちいずれか一項に記載の方法。
【請求項１０】
前記アイテムは、連絡先を含み、
前記アイテムのインジケーションは、ディスプレイにおける前記連絡先の視覚提示を有し、
前記アプリケーションは、ユーザと前記連絡先との間の交信のために使用可能なＳＭＳアプリケーションを有し、
前記アプリケーションのインジケーションは、前記ＳＭＳアプリケーションのためのアイコンを有し、
前記動的属性は、前記アプリケーションが前記ユーザと前記連絡先との間で交信するための好ましいメカニズムである属性を有する、
請求項１乃至７のうちいずれか一項に記載の方法。
【請求項１１】
前記アイテムは、ＳＭＳアプリケーションを有し、
前記アイテムのインジケーションは、前記ＳＭＳアプリケーションのためのアイコンを有し、
前記アプリケーションは、ブラウザアプリケーションを有し、
前記アプリケーションのインジケーションは、前記ブラウザアプリケーションのためのアイコンを有し、
前記動的属性は、前記ブラウザアプリケーションが前記ＳＭＳアプリケーションからの最新の連続タスクの部分である属性を有する、
請求項１乃至７のうちいずれか一項に記載の方法。
【請求項１２】
前記ユーザインターフェースは、ディスプレイを有し、
前記アプリケーションのインジケーションは、前記ディスプレイにおいて提供され、
前記アイテムの前記動的属性は、（ｉ）前記アイテムと交信するための好ましいアプリケーション、又は（ｉｉ）前記アイテムを開いた後に連続的にタスクを課されるアプリケーションのうちの１又はそれ以上を特定し、
当該方法は、前記アプリケーションのインジケーションのためのリクエストを少なくとも部分的に前記ディスプレイを通じて受け取るステップを更に有し、
前記アプリケーションのインジケーションを提供するステップは、前記リクエストを受け取ることに応答して実行される、
請求項１乃至７のうちいずれか一項に記載の方法。
【請求項１３】
ユーザインターフェースと、
（ｉ）アイテムのインジケーションと、（ｉｉ）前記アイテムの動的属性に従って決定された、前記アイテムと相互作用するために使用可能なアプリケーションのインジケーションとを前記ユーザインターフェースにおいて提供するよう構成されるプロセッサと
を有し、
前記アプリケーションのインジケーションは、前記アイテムのインジケーションと同時に提供される、装置。
【請求項１４】
前記ユーザインターフェースは、第１のディスプレイ及び第２のディスプレイを有し、
前記プロセッサは、前記第１のディスプレイにおいて前記アイテムのインジケーションを提供し、前記第２のディスプレイにおいて前記アプリケーションのインジケーションを提供するよう構成される、
請求項１３に記載の装置。
【請求項１５】
アイテムのインジケーションをユーザインターフェースにおいて提供する手段と、
前記アイテムの動的属性に従って決定された、前記アイテムと相互作用するために使用可能なアプリケーションのインジケーションを提供する手段と
を有し、
前記アプリケーションのインジケーションは、前記アイテムのインジケーションと同時に提供される、装置。
【請求項１６】
１又はそれ以上のプロセッサによって実行される場合に、該１又はそれ以上のプロセッサに、
アイテムのインジケーションをユーザインターフェースにおいて提供するステップと、
前記アイテムの動的属性に従って決定された、前記アイテムと相互作用するために使用可能なアプリケーションのインジケーションを提供するステップと
を共同して実行させるための命令を有し、
前記アプリケーションのインジケーションは、前記アイテムのインジケーションと同時に提供される、プログラム。
【請求項１７】
請求項１乃至１２のうちいずれか一項に記載の方法を実行するよう構成される装置。
【請求項１８】
１又はそれ以上のプロセッサによって実行される場合に、該１又はそれ以上のプロセッサに、請求項１乃至１２のうちいずれか一項に記載の方法を共同して実行させるための命令を有するプログラム。
【手続補正２】
【補正対象書類名】明細書
【補正対象項目名】００８７
【補正方法】変更
【補正の内容】
【００８７】
多数の実施が記載されてきた。それにも関わらず、様々な変更がなされてよいことが理解されるであろう。例えば、異なる実施の要素は、他の実施を形成するよう組み合わされ、補完され、変更され、又は除去されてよい。加えて、当業者は、他の構造及びプロセスが、開示されているものと置換されてよく、結果として得られる実施が、開示されている実施と少なくとも実質的に同じ結果を達成するよう少なくとも実質的に同じ方法において少なくとも実質的に同じ機能を実行することを理解するであろう。然るに、それら及び他の実施は、本願によって意図される。  
上記の実施形態に加えて、以下の付記を開示する。
（付記１）
ユーザインターフェースにおいてアイテムのインジケーションを提供するステップと、
前記アイテムの動的属性に従って決定された、前記アイテムと相互作用するために使用可能なアプリケーションのインジケーションを提供するステップと
を有する方法。
（付記２）
前記アプリケーションのインジケーションは、前記ユーザインターフェースとは異なるデバイスにおいて提供される、
付記１に記載の方法。
（付記３）
前記アプリケーションのインジケーションは、前記アイテムの前記動的属性を示す様式において提供される、
付記１に記載の方法。
（付記４）
前記様式は、前記アプリケーションの視覚表示の全て又は部分について、前記アイテムの視覚表示からの距離、ディスプレイのおける位置、陰影、輝度、フェーディング、又は色のうちの１又はそれ以上を調整することを含む、
付記１乃至３のうちいずれか一つに記載の方法。
（付記５）
前記アプリケーションのインジケーションのために、少なくとも部分的に前記ユーザインターフェースを通じて、リクエストを受け取るステップを更に有し、
前記アプリケーションのインジケーションを提供するステップは、前記リクエストを受け取ることに応答して実行される、
付記１乃至４のうちいずれか一つに記載の方法。
（付記６）
前記アイテムと相互作用するために使用可能な前記アプリケーションを前記動的属性に基づき決定するステップを更に有する
付記１乃至５のうちいずれか一つに記載の方法。
（付記７）
前記アプリケーションのインジケーションは、前記アイテムのインジケーションと同時に提供される、
付記１乃至６のうちいずれか一つに記載の方法。
（付記８）
前記動的属性は、前記アプリケーションが前記アイテムにアクセスするための最新のアプリケーションであること、前記アプリケーションが前記アイテムにアクセスするための最も頻繁に使用されるアプリケーションであること、又は前記アプリケーションが前記アイテムにアクセスするための好ましいアプリケーションであることのうちの１又はそれ以上を含む、
付記１乃至７のうちいずれか一つに記載の方法。
（付記９）
前記アイテムの前記動的属性は、（ｉ）前記アイテムと交信するための好ましいアプリケーション、又は（ｉｉ）前記アイテムを開いた後に連続的にタスクを課されるアプリケーションのうちの１又はそれ以上を特定する、
付記１乃至７のうちいずれか一つに記載の方法。
（付記１０）
前記アイテムは、連絡先を含み、
前記アイテムのインジケーションは、ディスプレイにおける前記連絡先の視覚提示を有し、
前記アプリケーションは、ユーザと前記連絡先との間の交信のために使用可能なＳＭＳアプリケーションを有し、
前記アプリケーションのインジケーションは、前記ＳＭＳアプリケーションのためのアイコンを有し、
前記動的属性は、前記アプリケーションが前記ユーザと前記連絡先との間で交信するための好ましいメカニズムである属性を有する、
付記１乃至７のうちいずれか一つに記載の方法。
（付記１１）
前記アイテムは、ＳＭＳアプリケーションを有し、
前記アイテムのインジケーションは、前記ＳＭＳアプリケーションのためのアイコンを有し、
前記アプリケーションは、ブラウザアプリケーションを有し、
前記アプリケーションのインジケーションは、前記ブラウザアプリケーションのためのアイコンを有し、
前記動的属性は、前記ブラウザアプリケーションが前記ＳＭＳアプリケーションからの最新の連続タスクの部分である属性を有する、
付記１乃至７のうちいずれか一つに記載の方法。
（付記１２）
前記ユーザインターフェースは、ディスプレイを有し、
前記アプリケーションのインジケーションは、前記ディスプレイにおいて提供され、
前記アイテムの前記動的属性は、（ｉ）前記アイテムと交信するための好ましいアプリケーション、又は（ｉｉ）前記アイテムを開いた後に連続的にタスクを課されるアプリケーションのうちの１又はそれ以上を特定し、
当該方法は、前記インジケーションのためのリクエストを少なくとも部分的に前記ディスプレイを通じて受け取るステップを更に有し、
前記アプリケーションのインジケーションを提供するステップは、前記リクエストを受け取ることに応答して実行される、
付記１乃至７のうちいずれか一つに記載の方法。
（付記１３）
ユーザインターフェースと、
（ｉ）アイテムのインジケーションと、（ｉｉ）前記アイテムの動的属性に従って決定された、前記アイテムと相互作用するために使用可能なアプリケーションのインジケーションとを前記ユーザインターフェースにおいて提供するよう構成されるプロセッサと
を有し、
前記アプリケーションのインジケーションは、前記アイテムのインジケーションと同時に提供される、装置。
（付記１４）
前記ユーザインターフェースは、第１のディスプレイ及び第２のディスプレイを有し、
前記プロセッサは、前記第１のディスプレイにおいて前記アイテムのインジケーションを提供し、前記第２のディスプレイにおいて前記アプリケーションのインジケーションを提供するよう構成される、
付記１３に記載の装置。
（付記１５）
アイテムのインジケーションをユーザインターフェースにおいて提供する手段と、
前記アイテムの動的属性に従って決定された、前記アイテムと相互作用するために使用可能なアプリケーションのインジケーションを提供する手段と
を有し、
前記アプリケーションのインジケーションは、前記アイテムのインジケーションと同時に提供される、装置。
（付記１６）
１又はそれ以上のプロセッサに、
アイテムのインジケーションをユーザインターフェースにおいて提供するステップと、
前記アイテムの動的属性に従って決定された、前記アイテムと相互作用するために使用可能なアプリケーションのインジケーションを提供するステップと
を共同して実行させるための命令を記憶し、
前記アプリケーションのインジケーションは、前記アイテムのインジケーションと同時に提供される、プロセッサ可読媒体。
（付記１７）
付記１乃至１２のうちいずれか一つに記載の方法を実行するよう構成される装置。
（付記１８）
１又はそれ以上のプロセッサに付記１乃至１２のうちいずれか一つに記載の方法を共同して実行させるための命令を記憶するプロセッサ可読媒体。